(57)【要約】【課題】コンピュータ装置の内部に無線ネットワーク用内蔵式アンテナ装置を取り付け外部からの操作により指向性等の向上を図る。【解決手段】無線ネットワーク用内蔵式アンテナ装置１はアンテナ部３とこのアンテナ部３に取り付けられた心棒５を備えている。一方、コンピュータ装置１１の本体１３は前記アンテナ部３を内蔵している。そして、前記心棒５は貫通孔２３から本体１３から外部に露出している。これにより、ユーザはアンテナ部３の指向性を本体１３の外部に露出した心棒５を回転させることにより行うことができる。【選択図】　　　図２
2004088359.tif 000002
【特許請求の範囲】
【請求項１】
コンピュータ装置に使用する無線ネットワーク用内蔵式アンテナ装置において、
前記無線ネットワーク用内蔵式アンテナ装置はアンテナ部と指向性を調整するための調整手段とを備え、
前記アンテナ部は前記コンピュータ装置に内蔵され、前記調整手段により前記コンピュータ装置の外部から指向性が調整されることを特徴とする無線ネットワーク用内蔵式アンテナ装置。
【請求項２】
コンピュータ装置に使用する無線ネットワーク用内蔵式アンテナ装置において、
前記無線ネットワーク用内蔵式アンテナ装置は心棒と、この心棒に取り付けられるアンテナ部とを備え、
前記アンテナ部は前記コンピュータ装置に内蔵され、前記心棒の一端側は指向性の調整のため前記コンピュータ装置の外部に露出することを特徴とする無線ネットワーク用内蔵式アンテナ装置。
【請求項３】
コンピュータ装置に使用する無線ネットワーク用内蔵式アンテナ装置において、
前記無線ネットワーク用内蔵式アンテナ装置はアンテナ部と、このアンテナ部に取り付けられる心棒とを備え、
前記アンテナ部は前記コンピュータ装置に内蔵され、前記心棒には第１歯車が取り付けられ、前記第１歯車に噛合する第２歯車により前記アンテナ部の指向性を調整するための調整手段をコンピュータ装置の外部に露出することを特徴とする無線ネットワーク用内蔵式アンテナ装置。
【請求項４】
無線ネットワーク用内蔵式アンテナ装置を備えたコンピュータ装置において、
前記無線ネットワーク用内蔵式アンテナ装置はアンテナ部と指向性を調整するための調整手段とを備え、
前記アンテナ部は前記コンピュータ装置に内蔵され、前記調整手段により前記コンピュータ装置の外部から指向性が調整されることを特徴とする無線ネットワーク用内蔵式アンテナ装置を備えたコンピュータ装置。
【請求項５】
無線ネットワーク用内蔵式アンテナ装置を備えたコンピュータ装置において、
前記無線ネットワーク用内蔵式アンテナ装置は心棒と、この心棒に取り付けられるアンテナ部とを備え、
前記アンテナ部は前記コンピュータ装置に内蔵され、前記心棒の一端側は指向性の調整のため前記コンピュータ装置の外部に露出することを特徴とする無線ネットワーク用内蔵式アンテナ装置を備えたコンピュータ装置。
【請求項６】
無線ネットワーク用内蔵式アンテナ装置を備えたコンピュータ装置において、
前記無線ネットワーク用内蔵式アンテナ装置はアンテナ部と、このアンテナ部に取り付けられる心棒とを備え、
前記アンテナ部は前記コンピュータ装置に内蔵され、前記心棒には第１歯車が取り付けられ、前記第１歯車に噛合する第２歯車により前記アンテナ部の指向性を調整するため調整手段を前記コンピュータ装置の外部に露出することを特徴とする無線ネットワーク用内蔵式アンテナ装置を備えたコンピュータ装置。
【発明の詳細な説明】
【０００１】
【発明の属する技術分野】
本発明は無線ネットワーク用内蔵式アンテナ装置及び無線ネットワーク用内蔵式アンテナ装置を備えたコンピュータ装置に関し、さらに詳細には、コンピュータ装置の外部より指向性を調整できる無線ネットワーク用内蔵式アンテナ装置及び無線ネットワーク用内蔵式アンテナ装置を備えたコンピュータ装置に関する。
【０００２】
【従来の技術】
現在、一般に、ケーブルを使用せず無線で通信するネットワーク（ＬＡＮ等）が流行している。これはケーブルに接続することなしにインターネットやネットワーク（ＬＡＮ等）にアクセスすることができるため、屋内屋外を問わず非常に便利である。今ではホットスポットと呼ばれる無線ＬＡＮが使用出来る場所（レストランや空港等）が増加しており、今後とも普及することが予想される。
【０００３】
従来の内蔵アンテナとして、誘導体アンテナや金属板で作られた逆Ｆアンテナ、基板アンテナ等が使用されてきた。これらのアンテナの特徴は、小型化、無指向化、高利得化が挙げられる。これらのアンテナはノートパソコン本体キーボード下部や両サイド、ヒンジ付近かもしくはＬＣＤのサイド及び上部に取り付けられており、その位置は常に固定されていた。また、アンテナを２つ搭載するダイバーシチ方式が一般的である。
【０００４】
図５（ａ）を参照する。例えば、従来のコンピュータ装置（ノートパソコン等）７１は本体７３に表示部７５が備えられている。そして、本体７３のヒンジ部付近にアンテナ部７７を備えている。ところで、図５（ｂ）に示すように、ＸＹＺ座標軸において電波進行方向をＹ軸方向とすると、垂直偏波面はＺＸ面になる。また、水平偏波面はＸＹ面になる。図５（ｃ）を参照する。アンテナ部の放射方向について、垂直偏波面、水平偏波面どちらも高い利得を持つように設計するのは困難であり、通常どちらかが強く、もう片方が弱くなる。すなわち、アンテナ部８１のＡ面では垂直方向の垂直偏波Ｖの放射が強く、水平方向の水平偏波Ｈの放射が弱くなっている。
【０００５】
【発明が解決しようとする課題】
従来の誘導体アンテナ、基板アンテナ、逆Ｆアンテナ等はどれもノートパソコン内部にネジや両面テープで固定されており、その位置を動かすことは不可能であった。そのため、電波の受信方向（指向性）が常に一定で、ノートパソコンを使用する場所によっては、電波の受信感度が低くなることがあり、そのような場合はノートパソコン自身の向きを回転させたり、場所を変えたりする必要があった。
【０００６】
また無線ＬＡＮ用のＰＣＩカードも販売されており、アンテナをコンピュータ装置自体に内蔵しないものもある。このケースだと、カードにアンテナが付いており、そのアンテナの角度や向きは自由に変えることができるため、指向性は良い。ただし、コンピュータ装置からカードが出ているため、コンピュータ装置を使用する際に邪魔になる。また、カードを使用するとコンピュータ装置に付いているスロットを１つ占有する。そして、無線ＬＡＮを行う際、別途ＰＣＩカードを購入する必要がある等の問題があった。
【０００７】
【課題を解決するための手段】
本発明は、前述のごとき問題に鑑みてなされたもので、請求項１に係る発明は、コンピュータ装置に使用する無線ネットワーク用内蔵式アンテナ装置において、
前記無線ネットワーク用内蔵式アンテナ装置はアンテナ部と指向性を調整するための調整手段とを備え、前記アンテナ部は前記コンピュータ装置に内蔵され、前記調整手段により前記コンピュータ装置の外部から指向性が調整される無線ネットワーク用内蔵式アンテナ装置である。これにより、コンピュータ装置の外部より指向性の調整を行うことができる。
【０００８】
請求項２に係る発明は、コンピュータ装置に使用する無線ネットワーク用内蔵式アンテナ装置において、前記無線ネットワーク用内蔵式アンテナ装置は心棒と、この心棒に取り付けられるアンテナ部とを備え、前記アンテナ部は前記コンピュータ装置に内蔵され、前記心棒の一端側は指向性の調整のため前記コンピュータ装置の外部に露出する無線ネットワーク用内蔵式アンテナ装置である。これにより、アンテナ部の回転を行うことができ指向性の調整を容易に行うことができる。
【０００９】
請求項３に係る発明は、コンピュータ装置に使用する無線ネットワーク用内蔵式アンテナ装置において、前記無線ネットワーク用内蔵式アンテナ装置はアンテナ部と、このアンテナ部に取り付けられる心棒とを備え、
前記アンテナ部は前記コンピュータ装置に内蔵され、前記心棒には第１歯車が取り付けられ、前記第１歯車に噛合する第２歯車により前記アンテナ部の指向性を調整するための調整手段をコンピュータ装置の外部に露出する無線ネットワーク用内蔵式アンテナ装置である。これにより、調整ツマミを回転させることで指向性の調整を行うことができ機能性を向上させることができる。
【００１０】
請求項４に係る発明は、無線ネットワーク用内蔵式アンテナ装置を備えたコンピュータ装置において、前記無線ネットワーク用内蔵式アンテナ装置はアンテナ部と指向性を調整するための調整手段とを備え、
前記アンテナ部は前記コンピュータ装置に内蔵され、前記調整手段により前記コンピュータ装置の外部から指向性が調整される無線ネットワーク用内蔵式アンテナ装置を備えたコンピュータ装置である。
【００１１】
請求項５に係る発明は、無線ネットワーク用内蔵式アンテナ装置を備えたコンピュータ装置において、前記無線ネットワーク用内蔵式アンテナ装置は心棒と、この心棒に取り付けられるアンテナ部とを備え、
前記アンテナ部は前記コンピュータ装置に内蔵され、前記心棒の一端側は指向性の調整のため前記コンピュータ装置の外部に露出する無線ネットワーク用内蔵式アンテナ装置を備えたコンピュータ装置である。
【００１２】
請求項６に係る発明は、無線ネットワーク用内蔵式アンテナ装置を備えたコンピュータ装置において、前記無線ネットワーク用内蔵式アンテナ装置はアンテナ部と、このアンテナ部に取り付けられる心棒とを備え、
前記アンテナ部は前記コンピュータ装置に内蔵され、前記心棒には第１歯車が取り付けられ、前記第１歯車に噛合する第２歯車により前記アンテナ部の指向性を調整するため調整手段を前記コンピュータ装置の外部に露出する無線ネットワーク用内蔵式アンテナ装置を備えたコンピュータ装置である。
【００１３】
【発明の実施の形態】
本発明の実施の形態を、図面を参照して説明する。
【００１４】
図１を参照する。図１（ａ）に示すように無線ネットワーク用内蔵式アンテナ１は、アンテナ部３と、このアンテナ部３に取り付けられた心棒５とを備えている。そして、前記アンテナ部３はコンピュータ装置１１（図２参照）の内部に内臓される。
【００１５】
一方、心棒５はコンピュータ装置１１から外に出す構造になっている。この心棒５をＡＲ１方向に回すことでアンテナ部３が回転し、指向性を変えることができる。すなわち、無線ネットワーク（例えば無線ＬＡＮ）を使用中、受信が悪い場合には、この心棒５により電波の受信を調整することが可能となり、わざわざコンピュータ装置１１を回転させたり、場所を変えたりする必要が無くなる。
【００１６】
ここで、コンピュータ装置１１の内部に設けられたアンテナ部３を回転させることの利点を説明する。図１（ｂ）に示すように、アンテナ部３のＡ面はＺＸ平面に平行である。このため、垂直偏波Ｖが強く水平偏波Ｈが弱い。ここで、心棒５を回転させることによりアンテナ部のＡ面を矢印ＡＲ２方向に９０度回転させる。
【００１７】
図１（ｃ）に示すように、アンテナ部３のＡ面はＸＹ平面に平行になる。このため、水平偏波Ｈが強く垂直偏波Ｖが弱くなる。
【００１８】
また、誘電体アンテナや板状逆Ｆアンテナ等はそれ自身が持つＧＮＤ（グランド）面の基準に電波の放射強度が決定される。つまりそのＧＮＤ面ごと回転させることで、垂直偏波Ｖを水平偏波Ｈに置き換えることができる。実際に使用する際にはマルチパスのため、強い偏波面が場所によって変化することが考えられ、その際にユーザが自由にアンテナ部３を調整することが可能となる。
【００１９】
図２を参照する。無線ネットワーク用内蔵式アンテナ１を備えたコンピュータ装置１１の斜視図を示している。前記コンピュータ装置１１は本体１３に表示部１５がヒンジにより開閉自在に備えられている。すなわち、ラップトップ型のパーソナルコンピュータを想定している。
【００２０】
上述のように前記コンピュータ装置１１は、前記無線ネットワーク用内蔵式アンテナ装置１を備えている。この無線ネットワーク用内蔵式アンテナ１はアンテナ部３と心棒５とを備えている。この心棒５は心棒支持部１７により支持されている。前記心棒支持部１７は本体１３の底面１９に固定板２１により固定されている。また、前記心棒５に設けられたストッパー２３により、前記心棒５は前記心棒支持部１７に対して回転方向のみに移動可能になっている。
【００２１】
上述のように前記心棒５は心棒支持部１７に支持されているが、前記心棒５の一端側は本体１３の側面２５に備えられた貫通孔２７を介して本体３の外部に露出している。これにより、ユーザが前記心棒５を矢印ＡＲ３方向に回転させることにより、前記心棒５に取り付けられているアンテナ部３が矢印ＡＲ４方向に回転し指向性の調整を本体１３の外部より行うことができる。
【００２２】
図３は歯車式の無線ネットワーク用内蔵式アンテナ装置３１を示す。
【００２３】
アンテナの種類に板状逆Ｆアンテナや誘電体アンテナ、基板アンテナ等のプリント基板をＧＮＤに使用するアンテナを選び、それをヒンジ部付近に設置する場合を考える。基板に心棒を取り付け（例えば基板の下）、その心棒に第１歯車をつける。その第１歯車と同じ第２歯車を９０度傾けた状態でかみ合わせ、その第２歯車をコンピュータ装置の外部に出すことで外部よりアンテナを回転するできるようにする。このようにすることで、コンピュータ装置本体より心棒が外にはみ出ることがなく、操作上邪魔にならない。
【００２４】
そして、調整ツマミをまわすことでアンテナの偏波面を変え、その使用場所における強い偏波方向にアンテナの受信感度が高い偏波方向を合わせることで、送受信をスムーズに行う。
【００２５】
例えば、図３（ａ）に示すように、前記歯車式の無線ネットワーク用内蔵式アンテナ装置３１はアンテナ部３３と基板３５と心棒３７とを備えている。前記心棒２７は基板３５に取り付けられている。さらに、前記心棒３７には第１歯車３９が備えられている。そして、前記第１歯車３９に第２歯車４１が９０度傾いた状態で噛合している。これにより、前記第２歯車４１をＡＲ５方向に回転させることにより、前記心棒３７が回転し、さらに前記アンテナ３３がＡＲ６方向に回転する。これにより、前記第２歯車４１の回転により指向性の調整を行うことができる。
【００２６】
図３（ｂ）を参照する。前記歯車式の無線ネットワーク用内蔵式アンテナ装置３１を備えたコンピュータ装置４３を示している。すなわち、本体４５に表示部４７を備えている。そして、ヒンジ部付近に歯車式の無線ネットワーク用内蔵式アンテナ装置３１を備えている。これにより、前記本体４５の外部より指向性を歯車（調整ツマミ）４１により調整することができる。
【００２７】
図４は歯車式の無線ネットワーク用内蔵式アンテナ３１を備えたコンピュータ装置４３の一例を示す。上述のようにコンピュータ装置４３の本体４５に表示部４７がヒンジにより備えられている。
【００２８】
前記歯車式の無線ネットワーク用内蔵式アンテナ装置３１はアンテナ部３３に基板３５が設けられている。この基板３５の裏側には心棒３７が取り付けられている。そして、この心棒３７は心棒支持部４９に回転自在に支持されるとともに第１歯車３９が設けられている。この第１歯車３９には第２歯車４１が９０度傾けて噛合されている。前記第２歯車４１は回転棒５１に固定されている。この回転棒５１には調整ツマミ５３が固定されている。そして、この調整ツマミ５３は本体４５の側面５５に開けられた露出用孔５７から露出している。なお、前記回転棒５１は底面５９に固定された支持部６１と上面６３に固定された支持部６５により回転自在に支持されている。
【００２９】
これにより、前記調整ツマミ５３を矢印ＡＲ７方向に回転させると、前記回転棒５１を介して前記第２歯車４１が連動し回転する。そして、前記第２歯車４１に９０度傾けて噛合した第１歯車３９が矢印ＡＲ８方向に回転する。そして、アンテナ３３が矢印ＡＲ９方向に回転し指向性の調整が行われる。また、前記調整ツマミ５３にはアンテナ部３３の回転する角度と対応した目盛りを付けておけばユーザは指向性の調整をより効率よく行うことができる。
【００３０】
なお、本発明は、上述した実施の態様の例に限定されることなく、適宜の変更を加えることにより、その他の態様で実施できるものである。
【００３１】
【発明の効果】
上述の如く本発明によれば、例えば、アンテナの指向性をコンピュータ装置の外部より自由に変えることが出来、受信がしやすくなるという効果がある。また、アンテナを回転させ、指向性を変化させることが出来るため、指向性の強いアンテナを使用することが出来、利得の増加が可能になるという効果がある。
【００３２】
一方、歯車式の機構を使用すれば調整ツマミのみを外部に出すことで、アンテナの指向性を調整でき操作性が向上するという効果がある。
【図面の簡単な説明】
【図１】（ａ）、（ｂ）、（ｃ）は無線ネットワーク用内蔵式アンテナ装置の概略を説明する説明図である。
【図２】無線ネットワーク用内蔵式アンテナ装置を備えたコンピュータ装置の概略を説明する説明図である。
【図３】（ａ）、（ｂ）は歯車式の無線ネットワーク用内蔵式アンテナ装置を説明する説明図である。
【図４】歯車式の無線ネットワーク用内蔵式アンテナ装置を備えたコンピュータ装置を説明する説明図である。
【図５】従来の技術を説明する説明図である。
【符号の説明】
１　無線ネットワーク用内蔵式アンテナ装置。
３　アンテナ部
５　心棒
１１　コンピュータ装置
１３　本体
１５　表示部
【図１】
2004088359.tif 000003
【図２】
2004088359.tif 000004
【図３】
2004088359.tif 000005
【図４】
2004088359.tif 000006
【図５】
2004088359.tif 000007